(57)【要約】【課題】再利用可能なスライドケースであって、蓋の閉状態での維持が容易であると共に、開閉操作に繰り返し付されてもストッパー機能が低下することもなく、しかも開閉操作も容易なスライドケースを提供することである。【解決手段】上部に開口を有する直方体形状の容器、及び該容器に設けられたレールに沿ってスライド可能な、容器開口部を覆うスライド蓋とから成るスライドケースにおいて、前記スライドケースの隣り合う２つの側面には、複数個の凸部が設けられており、他の隣り合う２つの側面における容器側面が外側壁と内側壁の二重壁から成ると共に、該スライドケース側面には前記凸部と同一形状の凸部が嵌合可能な複数個の凹部が設けられ、該凹部近傍には外側壁と内側壁を繋ぐ仕切り用のリブが形成されており、前記スライド蓋天面内側に設けられた突起が外側壁と内側壁により形成される空間をスライド蓋のスライドに沿って移動すると共に、該仕切り用リブと当接することによりスライド蓋の開蓋の位置決めをすることを特徴とするスライドケース。【選択図】  図１
2004231222.tif 000002
【特許請求の範囲】
【請求項１】
上部に開口を有する直方体形状の容器、及び該容器に設けられたレールに沿ってスライド可能な、容器開口部を覆うスライド蓋とから成るスライドケースにおいて、
前記スライドケースの隣り合う２つの側面には、複数個の凸部が設けられており、他の隣り合う２つの側面における容器側面が外側壁と内側壁の二重壁から成ると共に、該スライドケース側面には前記凸部と同一形状の凸部が嵌合可能な複数個の凹部が設けられ、該凹部近傍には外側壁と内側壁を繋ぐ仕切り用のリブが形成されており、前記スライド蓋天面内側に設けられた突起が外側壁と内側壁により形成される空間をスライド蓋のスライドに沿って移動すると共に、該仕切り用リブと当接することによりスライド蓋の開蓋の位置決めをすることを特徴とするスライドケース。
【請求項２】
前記外側壁と内側壁の距離が、スライド蓋の閉蓋位置に向けて小さくなるテーパー状になっている請求項１記載のスライドケース。
【請求項３】
前記凸部がスライドケース側面中心に並んでいる請求項１又は２記載のスライドケース。
【請求項４】
前記凹部が、前記外側壁及びスライド蓋スカート部の両方にまたがるように形成されている請求項１乃至３の何れかに記載のスライドケース。
【発明の詳細な説明】
【０００１】
【発明の属する技術分野】
本発明は、錠剤型の菓子やサプリメント等のための開閉操作がスライド式の容器に関し、より詳細には、容器同士が連結可能であると共に、蓋の開状態及び閉状態の保持が可能なスライドケースに関する。
【０００２】
【従来の技術】
錠剤型の菓子やサプリメントのための容器としては、蓋の開閉操作が蓋を容器に沿ってスライドさせるスライドケースが採用されている。このスライドケースは蓋を容器から取り外す必要がなく、開閉操作が容易であり、しかも内容物の取り出し口が内容物の大きさに適合可能であることから、内容物を必要量だけ取り出すことが可能であるという利点を有するものである。
【０００３】
このようなスライドケースは、１００〜５００錠入りの大型容器から携帯用或いは旅行用等の小分け容器として何度も使用するものは別として、一般に３０〜５０錠入りの容器として小売されているものは、同じ商品を何回か購入しても、使用済みの空容器は再利用されることはなく、廃棄されていることが多い。
【０００４】
使用済み容器の再利用の方法としては、例えば容器の表面に凹凸を設けて、複数の同一空容器の凹凸を嵌合させてブロックとして使用できるようにしたものが知られている（例えば、特許文献１）。また使用済み容器の再利用ではないが、やはり複数の同一容器に設けられた凹凸を嵌合させて組み合わせて荷崩れを防止したもの等が提案されている（特許文献２）。
【０００５】
【特許文献１】
実公昭５８−４２２９４号公報
【特許文献２】
実開昭６１−２０３３４４号公報
【０００６】
【発明が解決しようとする課題】
しかしながら、前述したようなスライドケースにおいては、再利用を可能にしたものは本発明者の知る限り提案されていない。
また従来のスライドケースにおいては、蓋天面から突出した微小偏平のＶ字形凸部が、内容物を１錠ずつ取り出すための仕切り壁を若干の抵抗を受けながら越えることにより、蓋の閉状態を維持するため、繰り返しの開閉操作により、上記Ｖ字形の凸部が若干磨耗されてストッパー機能が低下し、閉状態を維持できず、ポケットの中等で内容物が出てしまうようなことがあった。
【０００７】
また上述したような蓋天面から突出した凸部が、仕切り壁と係合してストッパー機能を果たすものは、蓋のスライドに伴い、かかる凸部は内容物収納空間内を移動するため、内容物が重なりあったような場合には、内容物に凸部が引かかり、容易にスライドすることができなかったり、或いは内容物を破損してしまうおそれもある。
【０００８】
従って本発明の目的は、再利用可能なスライドケースであって、蓋の閉状態での維持が容易であると共に、開閉操作に繰り返し付されてもストッパー機能が低下することもなく、しかも開閉操作も容易なスライドケースを提供することである。
【０００９】
【課題を解決するための手段】
本発明によれば、上部に開口を有する直方体形状の容器、及び該容器に設けられたレールに沿ってスライド可能な、容器開口部を覆うスライド蓋とから成るスライドケースにおいて、前記スライドケースの隣り合う２つの側面には、複数個の凸部が設けられており、他の隣り合う２つの側面における容器側面が外側壁と内側壁の二重壁から成ると共に、該スライドケース側面には前記凸部と同一形状の突起が嵌合可能な複数個の凹部が設けられ、該凹部近傍には外側壁と内側壁を繋ぐ仕切り用のリブが形成されており、前記スライド蓋天面内側に設けられた突起が外側壁と内側壁により形成される空間をスライド蓋のスライドに沿って移動すると共に、該仕切り用リブと当接することによりスライド蓋の開蓋の位置決めをすることを特徴とするスライドケースが提供される。
【００１０】
本発明のスライドケースによれば、
１．外側壁と内側壁の距離が、スライド蓋の開蓋位置を決める仕切り用リブから閉蓋位置を決める仕切り用リブの間で小さくなるテーパー状になっていること、２．凸部がスライドケース側面中心に並んでいること、
３．凹部が、前記外側壁及びスライド蓋スカート部の両方にまたがるように形成されていること、
が好適である。
【００１１】
【発明の実施形態】
本発明のスライドケースを添付図面に沿って説明する。
図１は、本発明のスライドケースの一例の斜視図であり、図２は、図１に示すスライドケースの容器を示すものであり、（Ａ）は平面図、（Ｂ）は左半分が側面図で右半分がＢ−Ｂ線側断面図、（Ｃ）はＣ−Ｃ線側断面図をそれぞれ示す。また図３は、図１に示すスライドケースの蓋を示すものであり、（Ａ）は平面図、（Ｂ）は側断面図を示す。尚、本明細書において、上方とは蓋側を意味し、下方とは容器底面側を意味する。
【００１２】
本発明のスライドケース１は、上部に開口を有する直方体形状の容器２、及び該容器に設けられたレールに沿ってスライド可能な、容器開口部を覆うスライド蓋２０とから成る。
概略的に言って容器２は、図１及び図２から明らかなように、短辺４と長辺５から成る底面３、短辺４及び長辺５に対応する短側壁６ａ，６ｂ及び長側壁７ａ，７ｂから成っている。容器２の長側壁７ａ，７ｂの上方には長辺５に平行なスライドレール用溝８が形成されている。
【００１３】
短側壁６及び長側壁７の一方の側（図では６ｂ及び７ａ）には、短側壁６ｂ及び長側壁７ａにそれぞれ平行な内側壁９及び１０が形成され、この内側壁８及び９、短側壁６ａ及び長側壁７ｂにより内容物収納空間１１が規定されている。また内容物収納空間の短側壁６ａ側には、内容物の取り出し量を規制するための仕切り１２が形成されている。
【００１４】
短側壁６ｂ及び長側壁７ａには、側壁の上下方向の長さほぼ中心位置に所定間隔を置いて複数の凹部１３が形成されており、短側壁６ｂ及び長側壁７ａの内側には、この凹部１３の上下方向の開口辺付近から突出し、内側壁９及び１０に至る仕切り用リブ１４が形成されている。仕切り用リブ１４は短側壁６ｂ、長側壁７ａ及び内側壁９，１０と同じ高さであっても良いが、後述する開蓋状態及び閉蓋状態を規定する仕切り用リブ１４ａ及び１４ｂの間に位置する仕切り用リブ１４ｃの高さは若干低く形成されている。
一方、凹部１３が形成されていない短側壁６ａ及び長側壁７ｂには、凹部１３に対応する位置に、凹部１３の形状に嵌合可能な断面形状を有する凸部１５が形成されている。
【００１５】
一方、スライド蓋２０は概略的に言って、図１及び図３から明らかなように、短辺２１ａ及び２１ｂ、長辺２２ａ及び２２ｂから成る天面２３、天面の短辺２１ｂから垂下する短スカート部２４、及び長辺２２ａ及び２２ｂから垂下する長スカート部２５ａ及び２５ｂから成る。長スカート部２５ａ及び２５ｂの内側には、容器に設けられたスライドレール用溝８に係合する突条２６が形成されている。これにより蓋２０は容器の長辺に沿ってスライド可能になる。
また蓋２０の天面２３の内面側には、容器の長側壁７ａ及び内側壁１０で規定される空間に係合し、且つ開蓋状態において、該空間内の所定の仕切り用リブ１４ａと係止する位置に、突起２７が形成されている。
【００１６】
これにより、蓋２０の短スカート部２４が容器の短側壁６ｂに係止することにより閉蓋状態が規制されると共に、蓋の突起２７が仕切り用リブ１４に係止することによって開蓋状態が規制される。
本発明のスライドケースにおいては、外側壁と内側壁の間の距離がスライド蓋の閉蓋位置に向けて小さくなるテーパー状であることが特に好ましく、開蓋状態において突起２７が当接する仕切り用リブ１４ａから、閉蓋状態において突起２７が位置する仕切り用リブ１４ｂ付近までの、長側壁７ａと内側壁１０の間の距離が徐々に小さくなるテーパー状である等、少なくとも閉蓋状態において突起２７が位置する仕切り用リブ１４ｂ近傍でかかる距離が小さくなるテーパー状であることが好ましい。これにより閉蓋状態で突起２７が長側壁７ａ及び内側壁１０の間に強固に保持され、意に反して開蓋状態になることが有効に防止される。
【００１７】
図４は、図１に示すスライドケースを２つ連結した状態を示す側断面図である。
前述した通り、本発明のスライドケースは、スライドケースの一方の短側壁６ｂ及び長側壁７ａに凹部１３を有し、他方の短側壁６ａ及び長側壁７ｂに凸部１５を有し、凹部１３は、凸部１５に対応する位置に同一数形成されているため、本発明のスライドケースを同一方向（上下方向及び蓋のスライド方向）に隣り合わせて並べることにより（図４では、長側壁同士を隣接させている）、凸部１５は凹部１３に、挿入可能となる。しかも凹部１３の形状は、凸部１５の少なくとも側壁付け根付近の断面形状に合致した形状であるため、凸部１５を凹部１３に完全に挿入すると凸部１５は凹部１３に完全に嵌合されて、図４に示すように、２つのスライドケースは連結された状態になる。同様に、短側壁同士、長側壁同士等をいくつか組み合わせることによってブロックと同じような機能を有することが可能となる。
【００１８】
また図４から明らかなように、本発明のスライドケースにおいては、凸部１５は長側壁或いは短側壁と内側壁で形成される空間１６に挿入されるのみで、内容物収納空間１１は内側壁１０で区画されているため、凹部１３を設けることによる内容物収納空間１１の密封性が損なわれないことは勿論、挿入された凸部１５により、内容物を破損したり、或いは内容物の自由な移動を妨げることもない。同様に、蓋天面内面側に設けられた突起２７も長側壁或いは短側壁と内側壁で形成される空間１６内を移動するので、かかる突起によって内容物を破損することや、或いは内容物の移動を妨げることもない。
【００１９】
図１乃至図４に示す態様では、蓋のスカート部下端２８は、凹部１３の開口上辺１７及び凸部１５の上部と同一ライン上に位置していたが、図５に示す態様においては、凹部が形成される長側壁７ａに対応する、蓋の長スカート部２５ａが他方の長スカート部２５ｂよりも長く、その下端が凹部１３の開口上辺１７よりも下方に位置し、凹部１３が、前記長側壁７ａ及びスカート部２５ａの両方にまたがるように形成されている。
このように、凹部が容器の長側壁及び蓋のスカート部の両方にまたがるように形成されていることにより、隣り合う２つのスライドケースの凸部及び凹部を嵌合すると、蓋の移動が確実に防止されるため、複数個のスライドケースを用いてブロック等として使う場合に、より使いやすくなる。
【００２０】
本発明のスライドケースは、図１乃至５に示した具体例に限定されず、種々の変更が可能である。
例えばスライドケース側面に設けられる凸部及び凹部の個数は、スライドケースの大きさにもよるが、長辺には４〜８個程度、短辺には２〜４個程度設けることができる。
また凸部及び凹部の形状も種々変更することができる。例えば、凸部の形状として図に示した先端が半球状で、断面形状が円のものの他、断面形状が四角形などを採用することもできる。また凹部の形状も、図示したように、凸部の断面形状の直径とほぼ同じ大きさの四角形でもよいし、勿論、凸部の断面形状と同一形状にすることもできる。
更に、開蓋状態を規定する仕切り用リブから、閉蓋状態を規定する仕切り用リブ付近までの、長側壁と内側壁の間の距離を徐々に小さくするテーパー状とするには、内側壁を若干斜めに設けてもよいし、或いは内側壁或いは長側壁の厚みを変化させてもよい。
【００２１】
本発明のスライドケースは、アンダーカット部分が少なく、型からの無理抜きが可能で成形が容易であるという利点もあり、射出成形、圧縮成形等従来公知の成形法により容易に成形することができる。用いる樹脂としては、スチロール樹脂、ポリプロピレン樹脂等の成形体の表面硬度を比較的高くできる樹脂を好適に用いることができる。
【００２２】
【発明の効果】
本発明においては、上部に開口を有する直方体形状の容器、及び該容器に設けられたレールに沿ってスライド可能な、容器開口部を覆うスライド蓋とから成るスライドケースにおいて、前記スライドケースの隣り合う２つの側面には、複数個の突起が設けられており、他の隣り合う２つの側面における容器側面が外側壁と内側壁の二重壁から成ると共に、該スライドケース側面には前記突起と同一形状の突起が嵌合可能な複数個の凹部が設けられ、該凹部近傍には外側壁と内側壁を繋ぐ仕切り用のリブが形成されており、前記スライド蓋天面内側に設けられたストッパーが外側壁と内側壁により形成される空間をスライド蓋のスライドに沿って移動すると共に、該仕切り用リブと当接することによりスライド蓋の閉蓋の位置決めを行うことができ、更に閉蓋状態を強固に保持することができ、意図せず開蓋状態になることが有効に防止され、しかも蓋の開閉状態を規制する突起は内容物収容空間内に位置しないので、突起が内容物に当たり、スライド開閉に支障をきたすことや、或いは突起により、内容物の破損を破損したり、内容物の取出しを妨げるようなこともない。
また内容物使用後の複数個の空のスライドケースを用い、スライドケースの側壁に設けられた凸部及び凹部を組み合わせることにより、玩具的に使用することや、スライドケースを連結させた組み立て体を飾り等にすることもでき、スライドケースを複数個収集することにより、販売促進効果を図ることも可能になる。
【図面の簡単な説明】
【図１】本発明のスライドケースの一例の斜視図である。
【図２】図１に示すスライドケースの容器を示すものであり、（Ａ）は平面図、（Ｂ）は左半分が側面図で右半分がＢ−Ｂ線側断面図、（Ｃ）はＣ−Ｃ線側断面図をそれぞれ示す。
【図３】図１に示すスライドケースの蓋を示すものであり、（Ａ）は平面図、（Ｂ）は側断面図を示す。
【図４】図１に示すスライドケースを２つ連結した状態を示す側断面図である。
【図５】本発明のスライドケースの他の態様における側面図である。
【符号の説明】
２  容器、
６  短側壁、
７  長側壁、
８  スライドレール用溝、
９，１０  内側壁、
１１  内容物収納空間、
１２  仕切り、
１３  凹部、
１４  仕切り用リブ、
１５  凸部、
２０  蓋、
２４  短スカート部、
２５  長スカート部、
２６  突条、
２７  突起。
【図１】
2004231222.tif 000003
【図２】
2004231222.tif 000004
【図３】
2004231222.tif 000005
【図４】
2004231222.tif 000006
【図５】
2004231222.tif 000007